【手続補正書】
【提出日】平成18年4月21日(2006.4.21)
【手続補正１】
【補正対象書類名】明細書
【補正対象項目名】特許請求の範囲
【補正方法】変更
【補正の内容】
【特許請求の範囲】
【請求項１】
階層化直交符号による符号分割多元接続信号に関するパワー・レベルを表示する方法であって、
複数符号層に関するパワー・レベルを表示する場合に、各活動符号チャネルがどの符号層において活動状態にあるかが幅によって示されるバーを用いて、各活動符号チャネルに関するパワー・レベルを表示するステップ、
を含む方法
【請求項２】
特定の符号層のバーの幅が、前記特定の符号層におけるチャネル数によって決まり、より高速の符号層が次のより低速の符号層に比べてバーの幅が２倍になることを特徴とする請求項１に記載の方法。
【請求項３】
特定の符号層のバーの色が、各活動符号チャネルがどの符号層において活動状態にあるかを示すことを特徴とする請求項１に記載の方法。
【請求項４】
階層化直交符号による符号分割多元接続信号に関するパワー・レベルを表示する方法であって、
複数符号層に関するパワー・レベルを表示する場合に、各活動符号チャネルがどの符号層において活動状態にあるかが幅によって示されるバーを用いて、各活動符号チャネルに関するパワー・レベルを表示し、ユーザが第一の符号チャネルを表す第１のバー上にマーカを配置すると、前記第１の符号チャネルに関する符号層、符号チャネル番号、及び、パワー・レベルを示すテキストを表示するステップ、
を含む方法。
【請求項５】
階層化直交符号による符号分割多元接続信号に関するパワー・レベルを表示する方法であって、
複数符号層に関するパワー・レベルを表示する場合に、各活動符号チャネルがどの符号層において活動状態にあるかが幅によって示されるバーを用いて各活動符号チャネルに関するパワー・レベルを表示し、線を用いて各非活動符号チャネルに関するパワー・レベルを表示するステップ、
を含む方法。
【請求項６】
階層化直交符号による符号分割多元接続信号に関するパワー・レベルを表示する方法であって、
複数符号層に関するパワー・レベルを表示する場合に、各活動符号チャネルがどの符号層において活動状態にあるかが幅によって示されるべた塗りのバーを用いて各活動符号チャネルに関するパワー・レベルを表示し、中空のバーを用いて各非活動符号チャネルに関するパワー・レベルを表示するステップ、
を含む方法。
【請求項７】
階層化直交符号による符号分割多元接続信号に関するパワー・レベルを表示する方法であって、
複数符号層に関するパワー・レベルを表示する場合に、各活動符号チャネルがどの符号層において活動状態にあるかが幅によって示されるバーを用いて、各活動符号チャネルに関するパワー・レベルを表示する第一のステップと、
単一符号層に関するパワー・レベルを表示する場合に、前記単一符号層における各活動符号チャネルに関するパワー・レベルを中空のバーを用いて表示し、前記単一符号層における各非活動符号チャネルに関するパワー・レベルを線を用いて表示する第二のステップ、
を含む方法。
【請求項８】
前記第一のステップおよび前記第二のステップが、ディスプレイの別個の画面において同時に実施されることを特徴とする請求項７に記載の方法。
【請求項９】
階層化直交符号による符号分割多元接続信号に関するパワー・レベルを表示する方法であって、
複数符号層に関するパワー・レベルを表示する場合に、各活動符号チャネルがどの符号層において活動状態にあるかが幅によって示されるバーを用いて、各活動符号チャネルに関するパワー・レベルを表示するステップと、
単一符号層に関するパワー・レベルを表示する場合に、前記単一符号層における各活動符号チャネルに関するパワー・レベルをべた塗りのバーを用いて表示し、前記単一符号層における各非活動符号チャネルに関するパワー・レベルを中空のバーを用いて表示するステップ、
を含む方法。
【請求項１０】
符号分割多元接続信号に関するパワー・レベルを表示する方法であって、
単一符号層に関するパワー・レベルを表示するステップを含み、
前記ステップが、
前記単一符号層における各活動符号チャネルに関するパワー・レベルをバーを用いて表示するサブ・ステップと、
前記単一符号層における各非活動符号チャネルに関するパワー・レベルを線を用いて表示するサブ・ステップ、
を含むことを特徴とする方法。
【請求項１１】
符号分割多元接続信号に関するパワー・レベルを表示する方法であって、
単一符号層に関するパワー・レベルを表示するステップを含み、
前記ステップが、
前記単一符号層における各活動符号チャネルに関するパワー・レベルをべた塗りのバーを用いて表示するサブ・ステップと、
前記単一符号層における各非活動符号チャネルに関するパワー・レベルを中空のバーを用いて表示するサブ・ステップ、
を含むことを特徴とする方法。
【請求項１２】
符号分割多元接続信号を解析する装置であって、
前記信号における符号チャネルのパワーを決定する逆拡散手段と、
前記信号の各符号層内におけるどの符号チャネルが活動状態であるかを識別する活動符号チャネル識別手段と、
前記逆拡散手段および前記活動符号チャネル識別手段に接続され、単一表示画面上に複数符号層に関するパワー・レベルを表示する場合に、各活動符号チャネルがどの符号層において活動状態にあるかが幅によって示されるバーを用いて、各活動符号チャネルに関するパワー・レベルを表示する表示手段、
を備える装置。
【請求項１３】
前記表示手段がパワー・レベルを表示する場合に、バーの色が、各活動符号チャネルがどの符号層において活動状態にあるかを示すことを特徴とする請求項１２に記載の装置。
【請求項１４】
前記表示手段が、各非活動符号チャネルのパワー・レベルを線を用いて表示することを特徴とする請求項１２に記載の装置。
【請求項１５】
前記表示手段が、各非活動符号チャネルのパワー・レベルを中空のバーを用いて表示し、各活動符号チャネルのパワー・レベルをべた塗りのバーを用いて表示することを特徴とする請求項１２に記載の装置。
【請求項１６】
前記表示手段が、単一符号層に関するパワー・レベルを追加表示し、前記単一符号層における各活動符号チャネルのパワー・レベルをバーを用いて表示し、前記単一符号層における各非活動符号チャネルのパワー・レベルを線を用いて表示することを特徴とする請求項１２に記載の装置。
【請求項１７】
前記表示手段が、単一符号層に関するパワー・レベルを追加表示し、前記単一符号層における各活動符号チャネルのパワー・レベルをべた塗りのバーを用いて表示し、前記単一符号層における各非活動符号チャネルのパワー・レベルを中空のバーを用いて表示することを特徴とする請求項１２に記載の装置。
【請求項１８】
前記逆拡散手段が、前記信号の符号層のそれぞれについて符号層逆拡散手段を具備することを特徴とする請求項１２に記載の装置。
【請求項１９】
特定の符号層のバーの幅が、特定の符号層におけるチャネル数によって決まり、より高速の符号層が次のより低速の符号層に比べてバーの幅が２倍になることを特徴とする請求項１２に記載の装置。
【請求項２０】
前記表示手段が、ユーザが第１のバー上にマーカを配置すると、第一のバーにより表現される第一の符号チャネルに関する符号層、符号チャネル番号、及び、パワー・レベルを示すテキストを表示することを特徴とする請求項１２に記載の装置。
【請求項２１】
符号分割多元接続信号を解析する装置であって、
前記信号における符号チャネルのパワーを決定する逆拡散手段と、
前記信号の各符号層内におけるどの符号チャネルが活動状態であるかを識別する活動符号チャネル識別手段と、
前記逆拡散手段および前記活動符号チャネル識別手段に接続され、単一表示画面上に複数符号層に関するパワー・レベルを表示する場合に、各活動符号チャネルがどの符号層において活動状態にあるかが幅によって示されるバーを用いて、各活動符号チャネルに関するパワー・レベルを表示する表示手段と、
を備える装置。
【請求項２２】
前記表示手段が、各活動符号チャネルのパワー・レベルをバーを用いて表示し、各非活動符号チャネルのパワー・レベルを線を用いて表示することを特徴とする請求項２１に記載の装置。
【請求項２３】
前記表示手段が、各活動符号チャネルのパワー・レベルをべた塗りのバーを用いて表示し、各非活動符号チャネルのパワー・レベルを中空のバーを用いて表示することを特徴とする請求項２１に記載の装置。